(57)【特許請求の範囲】
【請求項１】
ナースステーションに設置されるナースコール親機（１）と、ベッドサイドに置かれ主装置（５）を介して前記ナースコール親機を呼び出して通話ができる複数のナースコール子機（３ａ、３ｂ、・・・）と、前記主装置を介して前記ナースコール子機から呼び出されて前記ナースコール子機の部屋番号の表示と通話ができる１つ以上の携帯型ナースコール親機（２ａ、２ｂ、・・・）とで構成されるナースコール装置であって、
前記主装置は、前記ナースコール親機および前記携帯型ナースコール親機の何れか１つと前記ナースコール子機の何れか１つが通話中であるか否かを検出する話中検出回路（５４）と、前記話中検出回路で話中が検出されたとき他のナースコール子機からの呼び出しを前記ナースコール親機および前記携帯型ナースコール親機の他の親機に呼出通報し、前記他のナースコール子機からの呼び出しを通報された親機で表示するためのデータ送受信回路（５６、５７）とを備えたことを特徴とするナースコール装置。
【請求項２】
前記携帯型ナースコール親機は、前記ナースコール親機および前記携帯型ナースコール親機の何れか１つと前記ナースコール子機の何れか１つが通話中であるか否かを検出する話中検出回路（２１）と、前記話中検出回路で話中が検出されたとき前記他のナースコール子機からの呼び出しを表示する表示回路（２４）とを備えたことを特徴とする請求項１記載のナースコール装置。
【請求項３】
前記ナースコール親機は、前記携帯型ナースコール親機の何れか１つと前記ナースコール子機の何れか１つが通話中であるか否かを検出する話中検出回路（１１）と、前記話中検出回路で話中が検出されたとき前記他のナースコール子機からの呼び出しを表示する表示回路（１５）とを備えたことを特徴とする請求項１記載のナースコール装置。
【発明の詳細な説明】
【０００１】
【発明の属する技術分野】
本発明はナースコール装置に係わり、看護婦による迅速な看護業務の遂行が図れるナースコール装置に関する。
【０００２】
【従来の技術】
従来から、この種のナースコール装置として、図３のブロック図に示す構成のナースコール装置が提案されている。
同図に示すナースコール装置は、データ受信回路１１０、呼出音発生回路１１１、拡声スピーカ１１２、複数の病室にそれぞれ割り当てられた呼出表示灯１１３ａ、１１３ｂ、・・・を制御（点灯、消灯）する表示回路１１３、通話回路１１４、レシーバおよびマイクからなるハンドセット１１５が備えられナースステーションに設置されるナースコール親機１０１と、データ送受信回路１２０、呼出音発生回路１２１、拡声スピーカ１２２、表示回路１２３、通話回路１２４、親機スピーカ１２５、親機マイク１２６が備えられ巡回時等の看護婦が携行する１つ以上の携帯型ナースコール親機１０２ａ、１０２ｂ、・・・と、呼出ボタン１３０、呼出検出回路１３１、通話回路１３２、子機スピーカ１３３、子機マイク１３４が備えられ病室内のベッドサイドにそれぞれ設置される複数のナースコール子機１０３ａ、１０３ｂ、・・・と、データ送信回路１４０、部屋番号設定回路１４１、通話制御回路１４２が備えられ病室の出入口近傍にそれぞれ設置される複数のアダプタ１０４ａ、１０４ｂ、・・・と、データ受信回路１５０、呼出検出回路１５１、部屋番号判別回路１５２、メモリ１５３、呼出データ生成回路１５４、データ送信回路１５５、データ送受信回路１５６、通話制御回路１５７が備えられた主装置１０５とで構成されている。尚、ナースコール子機１０３ａ、１０３ｂ、・・・、およびアダプタ１０４ａ、１０４ｂ、・・・がそれぞれ設置された病室の部屋番号は、部屋番号設定回路１４１の適宜な操作により、「１０１」号室、「１０２」号室、・・・に予め設定されているものとする。
【０００３】
このように構成されたナースコール装置において、「１０１」号室の入院患者が看護婦を呼び出すためにナースコール子機１０３ａの呼出ボタン１３０を押下すると、呼出検出回路１３１がこの操作を検出しアダプタ１０４ａのデータ送信回路１４０から「１０１」号室の部屋番号情報が含有された呼出信号Ｓ101が出力される。この呼出信号Ｓ101は主装置１０５のデータ受信回路１５０を介して呼出検出回路１５１、部屋番号判別回路１５２にそれぞれ入力され、呼出検出回路１５１は入力された呼出信号Ｓ101をなす部屋番号情報より、「１０１」号室の入院患者からの呼び出しを検出した呼出検出信号Ｓ102を呼出データ生成回路１５４に出力する。また、部屋番号判別回路１５２は入力された呼出信号Ｓ101をなす部屋番号情報とメモリ１５３をなす図４の模式図に示す表示位置テーブル１５３ａおよび部屋番号テーブル１５３ｂとを照合して、呼び出した「１０１」号室に該当するナースコール親機１０１の呼出表示灯１１３ａを点灯させるとともに、携帯型ナースコール親機１０２ａ、１０２ｂ、・・・の表示回路１２３にて部屋番号である「１０１」を文字表示させるための呼出報知制御信号Ｓ103を呼出データ生成回路１５４に出力する。
【０００４】
呼出データ生成回路１５４は入力された呼出検出信号Ｓ102および呼出報知制御信号Ｓ103を信号処理し、図５の模式図に示すように呼び出す親機の種類を判別する制御データ（ここでは、ナースコール親機１０１を「０１」、携帯型ナースコール親機１０２ａ、１０２ｂ、・・・を「０２」とする。）を先頭に、呼び出した病室に該当するナースコール親機１０１の当該呼出表示灯を点灯させる制御データからなる親機呼出信号Ｓ104、携帯型ナースコール親機１０２ａ、１０２ｂ、・・・の表示回路１２３にて呼び出した病室の部屋番号を文字表示させる制御データからなる携帯型親機呼出信号Ｓ105をそれぞれ出力する。
【０００５】
親機呼出信号Ｓ104はデータ送信回路１５５、ナースコール親機１０１のデータ受信回路１１０を介して呼出音発生回路１１１、表示回路１１３にて入力検出される。これにより、拡声スピーカ１１２から呼出音が放音されるとともに呼出表示灯１１３ａが点灯され、ナースステーション内の看護婦に「１０１」号室の入院患者からの呼び出しが報知される。また、携帯型親機呼出信号Ｓ105はデータ送受信回路１５６にて信号変換された赤外線等のワイヤレス信号Ｓ105aとして携帯型ナースコール親機１０２ａ、１０２ｂ、・・・にそれぞれ無線伝送され、データ送受信回路１２０にて電気信号に信号変換された携帯型親機呼出信号Ｓ105bとして呼出音発生回路１２１、表示回路１２３にてそれぞれ入力検出される。これにより、拡声スピーカ１２２から呼出音が放音されるとともに表示回路１２３にて部屋番号である「１０１」が文字表示され、各携帯型ナースコール親機１０２ａ、１０２ｂ、・・・を携行した看護婦に「１０１」号室の入院患者からの呼び出しが報知される。
【０００６】
上述の呼出報知手段により、「１０１」号室の入院患者からの呼び出しを確認したナースステーション内の看護婦が、当該携帯型ナースコール親機を携行した看護婦の呼出応答前においてナースコール親機１０１のハンドセット１１５を取り上げ呼出応答すると、通話回路１１４、主装置１０５の通話制御回路１５７、アダプタ１０４ａの通話制御回路１４２、ナースコール子機１０３ａの通話回路１３２を介して子機スピーカ１３３および子機マイク１３４間の通話路が形成され通話が成立するとともに、主装置１０５の通話制御回路１５７の制御により、ナースコール子機１０３ａの子機スピーカ１３３および子機マイク１３４から各携帯型ナースコール親機１０２ａ、１０２ｂ、・・・の親機スピーカ１２５および親機マイク１２６間の通話路が形成され携帯型ナースコール親機１０２ａ、１０２ｂ、・・・はそれぞれ話中状態となる。
【０００７】
一方、「１０１」号室の入院患者からの呼び出しを確認した当該携帯型ナースコール親機を携行した看護婦、ここでは携帯型ナースコール親機１０２ａを携行した看護婦が、ナースステーション内の看護婦の呼出応答前において適宜に呼出応答すると、親機スピーカ１２５および親機マイク１２６から通話回路１２４、データ送受信回路１２０、主装置１０５のデータ送受信回路１５６、通話制御回路１５７、アダプタ１０４ａの通話制御回路１４２、ナースコール子機１０３ａの通話回路１３２を介して子機スピーカ１３３および子機マイク１３４間の通話路が形成され通話が成立するとともに、主装置１０５の通話制御回路１５７の制御により、ナースコール子機１０３ａの子機スピーカ１３３および子機マイク１３４からナースコール親機１０１のハンドセット１１５、他の携帯型ナースコール親機１０２ｂ、・・・の親機スピーカ１２５および親機マイク１２６間の通話路がそれぞれ形成され、ナースコール親機１０１および他の携帯型ナースコール親機１０２ｂ、・・・はそれぞれ話中状態となる。
【０００８】
【発明が解決しようとする課題】
しかしながら、従来のナースコール装置は上述のように構成されているので、呼び出した「１０１」号室の入院患者が使用するナースコール子機１０３ａと、ナースステーション内の看護婦が使用するナースコール親機１０１とが通話成立時には、巡回時等の看護婦が携行する携帯型ナースコール親機１０２ａ、１０２ｂ、・・・はそれぞれ話中状態となり、一方、ナースコール子機１０３ａと携帯型ナースコール親機１０２ａとが通話成立時には、ナースコール親機１０１と他の携帯型ナースコール親機１０２ｂ、・・・はそれぞれ話中状態となるように、ナースコール親機１０１および携帯型ナースコール親機１０２ａ、１０２ｂ、・・・には、非話中状態のナースコール子機１０３ｂ、・・・からの呼び出しに対する適宜な呼出報知手段が備えられていない。これにより、看護婦による迅速な看護業務の遂行が困難になる難点があった。
【０００９】
本発明は上述の難点を解消するためになされたもので、呼び出した病室内の入院患者とナースステーション内または巡回等の看護婦とが通話成立時において、呼び出した病室以外の入院患者から呼び出しがあった際の検出（話中検出）および報知手段を、各看護婦がそれぞれ使用するナースコール親機、携帯型ナースコール親機にそれぞれ備えることにより、呼び出した病室内の入院患者に即時に対応することができ、看護婦による迅速な看護業務の遂行が図れるナースコール装置を提供することを目的とする。
【００１０】
【課題を解決するための手段】
このような目的を達成するため、本発明によるナースコール装置は、ナースステーションに設置されるナースコール親機と、ベッドサイドに置かれ主装置を介してナースコール親機を呼び出して通話ができる複数のナースコール子機と、主装置を介してナースコール子機から呼び出されてナースコール子機の部屋番号の表示と通話ができる１つ以上の携帯型ナースコール親機とで構成されるナースコール装置であって、主装置は、ナースコール親機および携帯型ナースコール親機の何れか１つとナースコール子機の何れか１つが通話中であるか否かを検出する話中検出回路と、話中検出回路で話中が検出されたとき他のナースコール子機からの呼び出しをナースコール親機および携帯型ナースコール親機の他の親機に呼出通報し、他のナースコール子機からの呼び出しを通報された親機で表示するためのデータ送受信回路とを備えたものである。
【００１１】
また、本発明によるナースコール装置の携帯型ナースコール親機は、ナースコール親機および携帯型ナースコール親機の何れか１つとナースコール子機の何れか１つが通話中であるか否かを検出する話中検出回路と、話中検出回路で話中が検出されたとき他のナースコール子機からの呼び出しを表示する表示回路とを備えたものである。
【００１２】
また、本発明によるナースコール装置のナースコール親機は、携帯型ナースコール親機の何れか１つとナースコール子機の何れか１つが通話中であるか否かを検出する話中検出回路と、話中検出回路で話中が検出されたとき他のナースコール子機からの呼び出しを表示する表示回路とを備えたものである。
このように構成されたナースコール装置によれば、ナースステーションに設置されるナースコール親機および巡回時等の看護婦が携行する１つ以上の携帯型ナースコール親機の何れか１つと病室内のベッドサイドにそれぞれ設置されるナースコール子機の何れか１つが通話中であると主装置の話中検出回路、ナースコール親機の話中検出回路、および携帯型ナースコール親機の話中検出回路にてそれぞれ検出されると、非話中状態である他のナースコール子機からの呼び出しはナースコール親機および非話中状態の携帯型ナースコール親機にそれぞれ通報され呼出表示される。これにより、呼び出した病室内の入院患者に即時に対応することができ、看護婦による迅速な看護業務の遂行が図れる。
【００１３】
【発明の実施の形態】
以下、本発明によるナースコール装置を適用した好ましい形態の一実施例について、図面を参照して説明する。
図１は本発明によるナースコール装置の一実施例の構成を示すブロック図であり、ナースステーションに設置されるナースコール親機１と、巡回時等の看護婦が携行する１つ以上の携帯型ナースコール親機２ａ、２ｂ、・・・と、病室内のベッドサイドにそれぞれ設置される複数のナースコール子機３ａ、３ｂ、・・・と、病室の部屋番号の設定機能およびナースコール子機３ａ、３ｂ、・・・と後述する主装置５間で送受信される諸信号の信号処理機能を備え病室の出入口近傍にそれぞれ設置される複数のアダプタ４ａ、４ｂ、・・・と、ナースコール親機１および携帯型ナースコール親機２ａ、２ｂ、・・・とアダプタ４ａ、４ｂ、・・・間で送受信される諸信号の信号処理機能を備えた主装置５とで構成されている。また、ナースコール親機１と主装置５は、制御伝送ラインＬ1a、音声伝送ラインＬ1bからなる幹線Ｌ1を介して接続されている。更に、ナースコール子機３ａ、３ｂ、・・・とアダプタ４ａ、４ｂ、・・・は、制御伝送ラインＬ2a、Ｌ12a、・・・、音声伝送ラインＬ2b、Ｌ12b、・・・からなる幹線Ｌ2、Ｌ12、・・・をそれぞれ介して接続されており、アダプタ４ａ、４ｂ、・・・と主装置５は、制御伝送ラインＬ3a、音声伝送ラインＬ3bからなる幹線Ｌ3を介して接続されている。
【００１４】
ナースコール親機１には、幹線Ｌ1をなす制御伝送ラインＬ1aを伝送された諸信号を受信するデータ受信回路１０と、ナースコール親機１および携帯型ナースコール親機２ａ、２ｂ、・・・の何れか１つとナースコール子機３ａ、３ｂ、・・・の何れか１つが通話中であるか否かを検出する話中検出回路１１と、拡声スピーカ１３から呼出音を放音させる呼出音発生回路１２と、話中検出回路１１にて非通話中と検出された際に病室内の入院患者からの呼び出しを病室に該当した通常呼出表示灯１４ａ、１４ｂ、・・・を点灯させることにより報知する通常呼出表示回路１４と、話中検出回路１１にて通話中と検出された際に非話中状態の病室内の入院患者からの呼び出しを病室に該当した話中呼出表示灯１５ａ、１５ｂ、・・・を点灯させることにより報知する話中呼出表示回路１５と、ナースステーション内の看護婦が呼び出した病室内の入院患者との通話を成立させるために用いるレシーバおよびマイクからなるハンドセット１７が接続され幹線Ｌ1をなす音声伝送ラインＬ1bとの通話路を形成する通話回路１６とが備えられている。
【００１５】
携帯型ナースコール親機２ａ、２ｂ、・・・はそれぞれ同様な構成であり、後述する主装置５のデータ送受信回路５７とで無線伝送される諸信号を送受信するデータ送受信回路２０と、ナースコール親機１および携帯型ナースコール親機２ａ、２ｂ、・・・の何れか１つとナースコール子機３ａ、３ｂ、・・・の何れか１つが通話中であるか否かを検出する話中検出回路２１と、拡声スピーカ２３から呼出音を放音させる呼出音発生回路２２と、話中検出回路２１にて非通話中と検出された際には呼び出した病室の部屋番号を文字表示し、一方、通話中と検出された際における非話中状態の病室内の入院患者からの呼び出しには、病室の部屋番号および話中状態を示す文字列を文字表示することによりそれぞれ報知する表示回路２４と、巡回時等の看護婦が呼び出した病室内の入院患者との通話を成立させるために用いる親機スピーカ２６および親機マイク２７が接続されデータ送受信回路２０を介した主装置５間の通話路を形成する通話回路２５とが備えられている。
【００１６】
ナースコール子機３ａ、３ｂ、・・・はそれぞれ同様な構成であり、病室内の入院患者が看護婦に用件がある際に押下する呼出ボタン３０と、呼出ボタン３０の押下による呼出操作を検出する呼出検出回路３１と、病室内の入院患者が呼び出した看護婦との通話を成立させるために用いる子機スピーカ３３および子機マイク３４が接続され幹線Ｌ2、Ｌ12、・・・をなす音声伝送ラインＬ2b、Ｌ12b、・・・を介したアダプタ４ａ、４ｂ、・・・間の通話路をそれぞれ形成する通話回路３２とが備えられている。
【００１７】
アダプタ４ａ、４ｂ、・・・はそれぞれ同様な構成であり、ナースコール子機３ａ、３ｂ、・・・の呼出検出回路３１からの出力を受けて幹線Ｌ3をなす制御伝送ラインＬ3aに信号（呼出信号）を出力するデータ送信回路４０と、病室の部屋番号を設定するために操作される部屋番号設定回路４１と、幹線Ｌ3をなす音声制御ラインＬ3bと幹線Ｌ2、Ｌ12、・・・をなす音声伝送ラインＬ2b、Ｌ12b、・・・との通話路をそれぞれ形成する通話制御回路４２とが備えられている。
【００１８】
主装置５には、幹線Ｌ3をなす制御伝送ラインＬ3aを伝送された諸信号を受信するデータ受信回路５０と、データ受信回路５０からの出力を受けて病室内の入院患者からの呼び出しを検出する呼出検出回路５１、メモリ５３をなす図４の模式図に示す表示位置テーブル５３ａおよび部屋番号テーブル５３ｂを参照して、呼び出した病室に該当するナースコール親機１の当該通常呼出表示灯または話中呼出表示灯、および携帯型ナースコール親機２ａ、２ｂ、・・・の表示回路２４にて文字表示させる部屋番号をそれぞれ判別する部屋番号判別回路５２と、ナースコール親機１および携帯型ナースコール親機２ａ、２ｂ、・・・の何れか１つとナースコール子機３ａ、３ｂ、・・・の何れか１つが通話中であるか否かを検出する話中検出回路５４と、話中検出回路５４からの出力を受けてナースコール親機１および携帯型ナースコール親機２ａ、２ｂ、・・・をぞれぞれ呼出報知制御するための諸信号を出力する呼出データ生成回路５５と、呼出データ生成回路５５からの出力を幹線Ｌ1をなす制御伝送ラインＬ1aを介してナースコール親機１に送信するデータ送信回路５６と、携帯型ナースコール親機２ａ、２ｂ、・・・のデータ送受信回路２０とで無線伝送される諸信号を送受信するデータ送受信回路５７と、幹線Ｌ1をなす音声伝送ラインＬ1bまたはデータ送受信回路５７を介した携帯型ナースコール親機２ａ、２ｂ、・・・と、幹線Ｌ3をなす音声伝送ラインＬ3bとの通話路をそれぞれ形成する通話制御回路５８とが備えられている。
【００１９】
このように構成されたナースコール装置において、ナースコール子機３ａ、３ｂ、・・・、およびアダプタ４ａ、４ｂ、・・・がそれぞれ設置された病室の部屋番号は、部屋番号設定回路４２の適宜な操作により、「１０１」号室、「１０２」号室、・・・に予め設定されているものとする。
ここで、「１０１」号室の入院患者が看護婦を呼び出すためにナースコール子機３ａの呼出ボタン３０を押下すると、呼出検出回路３１がこの操作を検出し呼出起動信号Ｓ1を出力する。この呼出起動信号Ｓ1は幹線Ｌ2をなす制御伝送ラインＬ2aを介してアダプタ４ａのデータ送信回路４０に入力され、「１０１」号室の部屋番号情報が含有された呼出信号Ｓ2として、幹線Ｌ3をなす制御伝送ラインＬ3aを介して主装置５に伝送される。主装置５のデータ受信回路５０にて受信された呼出信号Ｓ2は、呼出検出回路５１、部屋番号判別回路５２にそれぞれ入力され、呼出検出回路５１は入力された呼出信号Ｓ2をなす部屋番号情報より、「１０１」号室の入院患者からの呼び出しを検出した呼出検出信号Ｓ3を話中検出回路５４に出力する。また、呼出検出信号Ｓ3が入力検出された話中検出回路５４は、ナースコール親機１および携帯型ナースコール親機２ａ、２ｂ、・・・の何れか１つとナースコール子機３ａ、３ｂ、・・・の何れか１つが通話中であるか否かを検出する。ここでは、非話中状態であることからこの検出情報が含有された制御信号Ｓ4が呼出データ生成回路５５に出力される。更に、部屋番号判別回路５２は入力された呼出信号Ｓ2をなす部屋番号情報とメモリ５３をなす図４の模式図に示す表示位置テーブル５３ａおよび部屋番号テーブル５３ｂとを照合して、呼び出した「１０１」号室に該当するナースコール親機１の通常呼出表示灯１４ａを点灯させるとともに、携帯型ナースコール親機２ａ、２ｂ、・・・の表示回路２４にて部屋番号である「１０１」を文字表示させるための呼出報知制御信号Ｓ5を呼出データ生成回路５５に出力する。
【００２０】
呼出データ生成回路５５は入力された制御信号Ｓ4および呼出報知制御信号Ｓ5を信号処理し、図２の模式図に示すように親機の種類を判別する制御データ（ここでは、従来例と同様にナースコール親機１を「０１」、携帯型ナースコール親機２ａ、２ｂ、・・・を「０２」とする。）を先頭に、呼び出した病室に該当するナースコール親機１の当該通常呼出表示灯または話中呼出表示灯を点灯させる、携帯型ナースコール親機２ａ、２ｂ、・・・の表示回路２４にて呼び出した病室の部屋番号を文字表示させるための制御データ、話中状態の有無を判別する制御データ（ここでは、非話中状態を「０」、話中状態を「１」とする。）からなる親機通常呼出信号Ｓ10、携帯型親機通常呼出信号Ｓ11をそれぞれ出力する。
【００２１】
親機通常呼出信号Ｓ10はデータ送信回路５６、幹線Ｌ1をなす制御伝送ラインＬ1a、ナースコール親機１のデータ受信回路１０を介して話中検出回路１１に入力される。話中検出回路１１は入力された親機通常呼出信号Ｓ10より、「１０１」号室の入院患者からの呼び出しと、ナースコール親機１および携帯型ナースコール親機２ａ、２ｂ、・・・の何れか１つとナースコール子機３ａ、３ｂ、・・・の何れか１つが非話中状態であることをそれぞれ検出し、呼出音発生回路１２を能動にするとともに通常呼出表示灯１４ａを点灯させるよう通常呼出表示回路１４を制御する。これにより、ナースステーション内の看護婦は、拡声スピーカ１３から放音される呼出音と通常呼出表示灯１４ａの点灯により、「１０１」号室の入院患者からの呼び出しを確認することができる。また、携帯型親機通常呼出信号Ｓ11はデータ送受信回路５７にて信号変換された赤外線等のワイヤレス信号Ｓ11aとして携帯型ナースコール親機２ａ、２ｂ、・・・にそれぞれ無線伝送され、データ送受信回路２０にて電気信号に信号変換された携帯型親機通常呼出信号Ｓ11bとして話中検出回路２１に入力される。話中検出回路２１は入力された親機通常呼出信号Ｓ11bより、「１０１」号室の入院患者からの呼び出しと、ナースコール親機１および携帯型ナースコール親機２ａ、２ｂ、・・・の何れか１つとナースコール子機３ａ、３ｂ、・・・の何れか１つが非話中状態であることをそれぞれ検出し、呼出音発生回路２２を能動にするとともに部屋番号である「１０１」を文字表示させるよう表示回路２４を制御する。これにより、各携帯型ナースコール親機２ａ、２ｂ、・・・を携行した巡回時等の看護婦は、拡声スピーカ２３から放音される呼出音と表示回路２４にて文字表示される部屋番号により、「１０１」号室の入院患者からの呼び出しを確認することができる。
【００２２】
上述の呼出報知手段により、「１０１」号室の入院患者からの呼び出しを確認したナースステーション内の看護婦が、当該携帯型ナースコール親機を携行した看護婦の呼出応答前においてナースコール親機１のハンドセット１７を取り上げ呼出応答すると、通話回路１６、幹線Ｌ1をなす音声伝送ラインＬ1b、主装置５の通話制御回路５８、幹線Ｌ3をなす音声伝送ラインＬ3b、アダプタ４ａの通話制御回路４２、幹線Ｌ2をなす音声伝送ラインＬ2b、ナースコール子機３ａの通話回路３２を介して子機スピーカ３３および子機マイク３４間の通話路が形成され通話が成立するとともに、通話制御回路５８からナースステーション内の看護婦による呼出応答を検出した呼出応答検出信号Ｓ20が話中検出回路５４に出力される。
【００２３】
一方、「１０１」号室の入院患者からの呼び出しを確認した当該携帯型ナースコール親機を携行した看護婦、ここでは携帯型ナースコール親機２ａを携行した看護婦が、ナースステーション内の看護婦の呼出応答前において適宜に呼出応答すると、親機スピーカ２６および親機マイク２７から通話回路２５、データ送受信回路２０、主装置５のデータ送受信回路５７、通話制御回路５８、幹線Ｌ3をなす音声伝送ラインＬ3b、アダプタ４ａの通話制御回路４２、幹線Ｌ2をなす音声伝送ラインＬ2b、ナースコール子機２ａの通話回路３２を介して子機スピーカ３３および子機マイク３４間の通話路が形成され通話が成立するとともに、通話制御回路５８から携帯型ナースコール親機２ａを携行した看護婦による呼出応答を検出した呼出応答検出信号Ｓ21が話中検出回路５４に出力される。
【００２４】
上述に示すように、ナースコール親機１または携帯型ナースコール親機２ａとナースコール子機３ａ間において通話が成立している際に、例えば「１０２」号室の病室内の入院患者が看護婦を呼び出すためにナースコール子機３ｂの呼出ボタン３０を押下すると、呼出検出回路３１がこの操作を検出し呼出起動信号Ｓ51を出力する。この呼出起動信号Ｓ51は幹線Ｌ12をなす制御伝送ラインＬ12aを介してアダプタ４bのデータ送信回路４０に入力され、「１０２」号室の部屋番号情報が含有された呼出信号Ｓ52として、前述の呼出信号Ｓ2と同様な経路を介して主装置５の呼出検出回路５１、部屋番号判定回路５２にそれぞれ入力される。呼出検出回路５１は入力された呼出信号Ｓ52をなす部屋番号情報より、「１０２」号室の入院患者からの呼び出しを検出した呼出検出信号Ｓ53を話中検出回路５４に出力する。また、呼出検出情報Ｓ53が入力検出された話中検出回路５４は、上述の呼出応答検出信号Ｓ20、Ｓ21よりナースコール親機１または携帯型ナースコール親機２ａとナースコール子機３ａとが話中状態であることを検出した制御信号Ｓ54を呼出データ生成回路５５に出力する。更に、部屋番号判別回路５２は入力された呼出信号Ｓ52をなす部屋番号情報とメモリ５３をなす図４の模式図に示す表示位置テーブル５３ａおよび部屋番号テーブル５３ｂとを上述の呼出信号Ｓ2の検出時と同様に照合して、ナースコール親機１の話中呼出表示灯１５ｂを点灯させるとともに、非話中状態である携帯型ナースコール親機２ｂ、・・・の表示回路２４にて部屋番号である「１０２」を文字表示させるための呼出報知制御信号Ｓ55を呼出データ生成回路５５に出力する。
【００２５】
呼出データ生成回路５５は入力された制御信号Ｓ54および呼出報知制御信号Ｓ55を信号処理し、図２の模式図に示すような親機の種類を判別する制御データを先頭に、ナースコール親機１の話中呼出表示灯１５ｂを点灯させる、非話中状態である他の携帯型ナースコール親機２ｂ、・・・の表示回路２４にて呼び出した病室の部屋番号を文字表示させるための制御データ、話中状態の有無を判別する制御データからなる親機話中時呼出信号Ｓ60、携帯型親機話中時呼出信号Ｓ61をそれぞれ出力する。
【００２６】
親機話中時呼出信号Ｓ60は上述の親機通常呼出信号Ｓ10と同様な経路を介してナースコール親機１の話中検出回路１１に入力される。話中検出回路１１は入力された親機話中時呼出信号Ｓ60より、「１０２」号室の入院患者からの呼び出しと、ナースコール親機１または携帯型ナースコール親機２ａとナースコール子機３ａとの話中状態をそれぞれ検出し、呼出音発生回路１２を能動にするとともに話中呼出表示灯１５ｂを点灯させるよう話中表示回路１５を制御する。これにより、ナースステーション内で通話中の看護婦は、拡声スピーカ１３から放音される呼出音と話中呼出表示灯１５ｂの点灯により、「１０２」号室の入院患者からの呼び出しを確認して迅速に対応することができる。また、携帯型親機話中時呼出信号Ｓ61は上述の携帯型親機通常呼出信号Ｓ11と同様にデータ送受信回路５７にて信号変換された赤外線等のワイヤレス信号Ｓ61aとして、非話中状態である携帯型ナースコール親機２ｂ、・・・にそれぞれ無線伝送され、データ送受信回路２０にて電気信号に信号変換された携帯型親機話中時呼出信号Ｓ61bとして話中検出回路２１に入力される。話中検出回路２１は入力された携帯型親機話中時呼出信号Ｓ61bより、「１０２」号室の入院患者からの呼び出しと、ナースコール親機１または携帯型ナースコール親機２ａとナースコール子機３ａとの話中状態とをそれぞれ検出し、呼出音発生回路２２を能動にするとともに部屋番号である「１０２」と話中状態を示す「話中」を文字表示させるよう表示回路２４を制御する。これにより、各携帯型ナースコール親機２ｂ、・・・を携行した巡回時等の看護婦は、拡声スピーカ２３から放音される呼出音と表示回路２４にて文字表示される部屋番号および話中の文字列より、「１０２」号室の入院患者からの呼び出しを確認して迅速に対応することができる。
【００２７】
尚、上記実施例では、巡回時等の看護婦が携行する端末を携帯型ナースコール親機として説明したが、これに限定されず、一般的に汎用されたポケットベルやハンディホンのように呼出報知機能および通話機能を備えた端末で代用させてよい。また、上記実施例では、同一病室内に備えられるベッドを単一とし、ベッドサイドに設置される単一のナースコール子機として説明したが、同一病室内に複数のベッドが備えられる病室に適用させても上記実施例と同様な効果を奏する。
【００２８】
【発明の効果】
以上の説明から明らかなように、本発明のナースコール装置によれば、呼び出した病室内の入院患者とナースステーション内または巡回等の看護婦とが通話成立時において、呼び出した病室以外の入院患者から呼び出しがあった際の検出（話中検出）および報知手段を、各看護婦がそれぞれ使用するナースコール親機、携帯型ナースコール親機にそれぞれ備えることにより、呼び出した病室内の入院患者に即時に対応することができ、看護婦による迅速な看護業務の遂行が図れる。
【図面の簡単な説明】
【図１】本発明によるナースコール装置の一実施例の構成を示すブロック図。
【図２】図１の呼出データ生成回路から出力される諸信号のデータ構成を示す模式図。
【図３】従来のナースコール装置の構成を示すブロック図。
【図４】図１および図３のメモリの構成を示す模式図。
【図５】図３の呼出データ生成回路から出力される諸信号のデータ構成を示す模式図。
【符号の説明】
１・・・・・ナースコール親機
２ａ、２ｂ、・・・ ・・・・・１つ以上の携帯型ナースコール親機
３ａ、３ｂ、・・・ ・・・・・複数のナースコール子機
５・・・・・主装置
１１・・・・・話中検出回路
１５・・・・・表示回路（話中呼出表示回路）
２１・・・・・話中検出回路
２４・・・・・表示回路
５４・・・・・話中検出回路
５６・・・・・データ送信回路
５７・・・・・データ送受信回路
【図１】
0004143196.tif 000002
【図２】
0004143196.tif 000003
【図３】
0004143196.tif 000004
【図４】
0004143196.tif 000005
【図５】
0004143196.tif 000006